(57)【要約】【課題】  バトミントンラケットのグリップの芯材である木材が、所定の品質を備えていない場合や、不用意な衝撃によるヒビや割れが生じている場合でも確実に折損を防止し、安全性や使い勝手の向上を実現したバトミントンラケットのグリップ保護方法を提供することを目的とするものである。【解決手段】  バトミントンラケットの木材からなるグリップに、熱を与えることにより収縮する保護部材を装着したことで強固な緊締状態でグリップが覆われ、木材に所定の強度や品質が備わっていない場合や、不用意な衝撃がラケットに加わり微少なヒビや割れが生じている場合でも折損を防止し、かつ保護部材を容易に取り外し可能としてグリップの表面にトゲやささくれを生じさせることのないバトミントンラケットのグリップ保護方法を提供することを実現した。【選択図】図１
2010246874.tif 000002
【特許請求の範囲】
【請求項１】
バトミントンラケットの木材からなるグリップに、熱を与えることにより収縮する保護部材を装着したことを特長とするバトミントンラケットのグリップ保護方法。
【請求項２】
前記保護部材の表面に凹凸を備えたことを特長とする請求項１に記載のバトミントンラケットのグリップ保護方法。
【請求項３】
前記保護部材の内側面に保護部材が熱を与えられて収縮すると同時に溶融する接着材層を備えたことを特長とする請求項１又は請求項２に記載のバトミントンラケットのグリップ保護方法。
【発明の詳細な説明】
【技術分野】
【０００１】  本発明は、バトミントンラケットのグリップの保護方法に関し、特に芯材を木材としたグリップの保護方法に関する。
【背景技術】
【０００２】  バトミントンラケットのグリップ部分は、木材、樹脂材、カーボン材などが芯材として使用されている。その中でも、特に木材は加工が容易であること、低コストであること、適度な衝撃吸収性があること、クッション性があること、ラケット全体の重量バランスに優れることから、現在市場に出回っている多くのバトミントンラケットのグリップは木材を使用したものである。このようなバトミントンラケットの木材のグリップ部分には、製造時にグリップテープが巻かれて出荷される。グリップテープは、滑り止め、吸汗、クッションの効果を得るために巻かれるもので、色や柄などのファッション的要素も兼ね備えるものである。【０００３】  図４は、グリップにグリップテープが巻かれた従来例を示したもので、例えば特開２０００−７０４１６号公報（特許文献１）に開示された「バトミントンラケット」の図１にも同様なグリップテープが巻かれた状態が示されている。このようなグリップテープは、使用者自身の好みに応じた色や太さにするために、新たなグリップテープを、予め巻かれたグリップテープを外して巻いたり、あるいはその上から重ねて巻いたりして使用される。また、グリップテープは使用頻度や経時により劣化するために、適度な時期に、新しいグリップテープに交換して使用する。【０００４】  また、実用新案登録第２５１２０５７号公報（特許文献２）に開示された「グリップ用チューブ」は、野球バット、テニスラケット、ゴルフクラブ等の運動具や釣竿のグリップに被着して用いられるグリップ用チューブに関するもので、熱収縮チューブ表面に複数のバフ面を間欠的に設けて、このバフ面の間にバフされていないチューブ表面が残存するようにして、良好な滑り抵抗性と適宜な滑らせ易さを使用者に提供できるようにしたものである。
【先行技術文献】
【特許文献】
【０００５】
【特許文献１】  特開２０００−７０４１６号公報
【特許文献２】  実用新案登録第２５１２０５７号公報
【発明の概要】
【発明が解決しようとする課題】
【０００６】  ところで、従来のバトミントンラケットでグリップの芯材として木材を使用したものは、コストダウンによる品質の低い木材が使用されることで、所定の強度や品質が維持されていないことがある。また、プレイ中に不用意にラケットがネットや床に接触したような場合、気付かないうちに木材のグリップにヒビや割れが生じていることがあり、これを原因として何らかのきっかけで折損することがある。折損したグリップの折損部は木材特有の鋭い突起状となるために、プレイ中に折損して飛んだ場合、使用者自身はもとより相手プレイヤーや周囲の観戦者に対して極めて危険である。図４や特許文献１に示されたグリップにはグリップテープが巻かれているとはいえ、螺旋状に巻かれているだけであるため、スウィング中に折損した時は、ちぎれてしまうため飛び防止にはなり得ない。また、グリップの芯材である木材に巻かれたグリップテープを交換時に剥がす際に、木材表面が剥離して、凹みやトゲ、ささくれが生じることがある。この場合、グリップテープを巻いたとしても凹みは修復されないので握ったときに違和感が生じたり、トゲやささくれがグリップテープの表面を突き抜けて手に刺さるといった不具合が生じていた。【０００７】  特許文献２の「グリップ用チューブ」では、熱収縮チューブ表面に複数のバフ面を間欠的に設けて滑り抵抗性と適宜な滑らせ易さを両立させたもので芯材を木材としたグリップの保護を目的としたものではない。【０００８】  そこで本発明は、木材が所定の品質を備えていない場合や、不用意な衝撃によるヒビや割れが生じている場合でも確実に折損を防止し、安全性や使い勝手の向上を実現したバトミントンラケットのグリップ保護方法を提供することを目的とするものである。
【課題を解決するための手段】
【０００９】  バトミントンラケットの木材からなるグリップに、熱を与えることにより収縮する保護部材を装着したことで解決される。【００１０】  また、保護部材の表面に凹凸を備えたことで解決される。【００１１】  さらに、保護部材の内側面に保護部材が熱を与えられて収縮すると同時に溶融する接着材層を備えたことで解決される。
【発明の効果】
【００１２】  バトミントンラケットの木材からなるグリップに、熱を与えることにより収縮する保護部材を装着したので、グリップの保護部材が家庭用ドライヤーなどにより加熱されることで収縮して、強固な緊締状態でグリップが覆われる。これにより、木材に所定の強度や品質が備わっていない場合や、不用意な衝撃がラケットに加わりヒビや割れが生じている場合でも折損を防止することを可能とするとともに、保護部材の表面をカッターやハサミで切ることで容易に取り外しが可能なので、木材のグリップ表面に剥離、トゲやささくれを生じさせることのないバトミントンラケットのグリップ保護方法を提供することを実現した。【００１３】  また、保護部材の表面に凹凸を備えたので、上から重ねてグリップテープを巻く際に滑り止めとなり確実にしっかりと巻くことを可能にするとともに、グリップテープを巻かずとしても滑り止め効果を発揮して確実なグリップを得ることができる。【００１４】  さらに、保護部材の内側面に保護部材が熱を与えられて収縮すると同時に溶融する接着材層を備えたので、保護部材の取り外しをしないことを前提としたときに、グリップの保護部材に加熱されることで収縮して、強固な緊締状態でグリップが覆われるとともに、溶融した接着剤が木材に浸透することで、より強固に木材からなるグリップの保護をすることを可能とした。
【図面の簡単な説明】
【００１５】
【図１】本発明の第１の実施例を示す図である。
【図２】本考案の第１の実施例の断面図である。
【図３】本考案の第２の実施例を示す図である。
【図４】従来例を示す図である。
【発明を実施するための形態】
【実施例１】
【００１６】  本発明のバトミントンラケットのグリップ保護方法について、図面を参照して詳細に説明する。図１は本発明の第１の実施例を示す図であり、バトミントンラケットのグリップ部分を表している。グリップ（１）には、木材からなる芯材（１ａ）の外面に保護部材（２）が装着されている。保護部材（２）は、熱収縮チューブからなり家庭用ドライヤーなどで加熱することで収縮し芯材（１ａ）に強固な緊締状態で装着される。これにより、木材に所定の強度や品質が備わっていない場合や、プレイ中の不用意な衝撃がラケットに加わって微少なヒビや割れが生じている場合であっても、不意の折損を防止して、使用者自身や相手プレイヤー、観戦者への安全性を確保することが可能となったのである。また、保護部材（２）は、その表面をカッターやハサミで切ることで容易に取り外しが可能なので、木材からなるグリップの表面に剥離、トゲやささくれを生じさせることが解消され、安全性と使い勝手の向上を実現させた。
【実施例２】
【００１７】  第２の実施例を、図３を参照して詳細に説明する。図３は、保護部材（２）の表面に凹凸面（２ａ）を備えた状態を表している。凹凸面（２ａ）は、皮革模様、木目、岩目、砂目、なし地、幾何学模様などのシボ状であって、保護部材（２）の表面にグリップテープを上から重ねて巻く際に滑り止めとなり、確実にしっかりと巻くことができる。また、グリップテープを巻かずとしても保護部材（２）は所定の滑り止め効果を発揮して確実なグリップを得ることができる。
【実施例３】
【００１８】  第３の実施例では、図２に示すように保護部材（２）の内側面に接着材層（２ｂ）を備えた。接着材層（２ｂ）は保護部材が家庭用ドライヤーなどにより加熱されて収縮すると同時に溶融して木材からなる芯材（１ａ）に浸透してより強固に装着される。
この場合は、保護部材（２）の取り外しをしないことが前提であり、より確実に折損を防止し安全性を確保することが可能となった。【００１９】  以上説明したバトミントンラケットのグリップ保護方法は、木材以外の芯材に適用してもまったく差し支えなく、同様な安全性と使い勝手の向上を実現することができる。また、バトミントンラケット以外に適用しても差し支えないことは言うまでもない。
【符号の説明】
【００２０】１          グリップ
１ａ        芯材
１ｂ        シャフト
２          保護部材
２ａ        凹凸面
２ｂ        接着剤層
３          グリップテープ
【図１】
2010246874.tif 000003
【図２】
2010246874.tif 000004
【図３】
2010246874.tif 000005
【図４】
2010246874.tif 000006